【手続補正書】
【提出日】平成31年2月12日(2019.2.12)
【手続補正１】
【補正対象書類名】特許請求の範囲
【補正対象項目名】全文
【補正方法】変更
【補正の内容】
【特許請求の範囲】
【請求項１】
伝送端末と管理装置を含む伝送システムにおいて、
前記伝送端末は、会議に参加するための操作を受け付ける受付部を有し、
前記管理装置は、前記操作を受け付けた伝送端末と同じ前記会議に参加している他の伝送端末に関連付けられた名前情報を、前記操作を受け付けた伝送端末へ送信する送信部を有し、
前記操作を受け付けた伝送端末はさらに、
前記送信部によって送信された前記名前情報を受信する受信部と、
前記受信した名前情報を表示画面に一覧表示させる表示制御部を有し、
前記表示制御部は、前記一覧表示された名前情報の中から特定された名前情報に対応する画像データを表示画面に表示させることを特徴とする伝送システム。
【請求項２】
前記管理装置は、
前記操作を受け付けた後に、該操作を受け付けた伝送端末から送信された要求に応じて該要求を送信した伝送端末と同じ前記会議に参加している他の伝送端末に関連付けられた名前情報を取得する情報取得部を更に備え、
前記送信部は前記情報取得部によって取得した情報を送信すること、を特徴とする請求項１に記載の伝送システム。
【請求項３】
前記管理装置は、
少なくとも伝送端末の識別子と該伝送端末に関連付けられた名前情報を含む端末情報を記憶する端末情報記憶部と、
伝送端末に関連付けられた宛先リストを管理する宛先リスト管理部を更に備え、
前記情報取得部は、前記受付部によって操作を受け付けた伝送端末と同じ前記会議に参加している他の伝送端末を識別するための情報の要求を表す端末情報要求を受信したときに該他の伝送端末の中で、前記端末情報要求を送信した伝送端末に関連付けられた宛先リストに登録された伝送端末については、前記端末情報に含まれる識別子と名前情報とを取得し、該宛先リストに登録されていない伝送端末については、前記端末情報に含まれる識別子を取得することを特徴とする請求項２に記載の伝送システム。
【請求項４】
前記他の伝送端末に関連付けられた名前情報は、前記他の伝送端末からの要求に応じて登録又は変更される情報であることを特徴とする請求項１ないし請求項３のいずれか１項に記載の伝送システム。
【請求項５】
前記表示制御部は、前記表示画面に一覧表示された名前情報のいずれかの選択を受け付けることによって特定された名前情報に対応する画像データを前記表示画面に表示させることを特徴とする請求項１ないし請求項４のいずれか１項に記載の伝送システム。
【請求項６】
前記名前情報に対応する画像データは、前記名前情報に関連付けられた他の伝送端末から送信された画像データであることを特徴とする請求項１ないし請求項５のいずれか１項に記載の伝送システム。
【請求項７】
前記表示制御部は、前記会議に参加している他の伝送端末から送信された画像のうち、前記表示画面に一覧表示させた名前情報いずれかの選択を受け付けることによって特定された名前情報に関連付けられた他の伝送端末から送信された画像のみを前記表示画面に表示させることを特徴とする請求項６に記載の伝送システム。
【請求項８】
前記表示制御部は、前記受信した名前情報の一覧が前記表示画面に表示されておらず、かつ、同じ前記会議に参加している他の伝送端末から送信された画像が表示されているときに受け付けた操作入力に応じて、前記受信した名前情報を前記表示画面に一覧表示させることを特徴とする請求項１ないし請求項７のいずれか１項に記載の伝送システム。
【請求項９】
前記操作を受け付けた伝送端末は、
前記受付部によって利用者からの前記操作入力を受け付け、
前記受付部が受け付けた操作入力に応じて、前記表示制御部は、前記受信した名前情報の一覧を前記表示画面に表示させず、かつ、前記操作を受け付けた伝送端末と同じ前記会議に参加している他の伝送端末から送信された画像を前記表示画面に表示させる第一のモードから、
前記受信した名前情報を前記表示画面に一覧表示させる第二のモードへ切り替えることを特徴とする請求項８に記載の伝送システム。
【請求項１０】
前記他の伝送端末は撮影装置によって撮影された画像を表す画像データが入力される画像データ入力部を更に備え、
前記表示制御部は、前記受信した名前情報に加えて、前記操作を受け付けた伝送端末と同じ前記会議に参加している他の伝送端末のなかで主要な伝送端末の画像データ入力部に入力されて送信された画像データが表す画像を前記表示画面に表示させることを特徴とする請求項８または請求項９に記載の伝送システム。
【請求項１１】
前記他の伝送端末は集音装置によって得られた音を表す音データが入力される音データ入力部を更に備え、
前記表示制御部は、前記操作を受け付けた伝送端末と同じ前記会議に参加している他の伝送端末のなかで、音データ入力部に入力された音声を表す音データが送信された伝送端末を前記主要な伝送端末として特定することを特徴とする請求項１０に記載の伝送システム。
【請求項１２】
前記操作を受け付けた伝送端末と同じ前記会議に参加している他の伝送端末の間でコンテンツデータを送信又は受信することを特徴とする請求項１ないし請求項１１のいずれか１項に記載の伝送システム。
【請求項１３】
前記コンテンツデータは、画像データ及び音データを少なくとも含むことを特徴とする請求項１２に記載の伝送システム。
【請求項１４】
前記操作を受け付けた伝送端末と同じ前記会議に参加している他の伝送端末は中継装置を介して前記コンテンツデータを送信又は受信することを特徴とする請求項１２または請求項１３に記載の伝送システム。
【請求項１５】
前記伝送端末は、ビデオ会議端末、カーナビゲーション装置又は携帯電話機のいずれかであることを特徴とする請求項１ないし請求項１４のいずれか１項に記載の伝送システム。
【請求項１６】
前記名前情報は、前記他の伝送端末の識別名を示すことを特徴とする請求項１ないし請求項１５のいずれか１項に記載の伝送システム。
【請求項１７】
前記管理装置は、前記伝送端末の会議への参加状態を管理する状態管理部を更に有し、
前記送信部は、前記参加状態が会議に参加していることを示す他の伝送端末に関連付けられた名前情報を、前記操作を受け付けた伝送端末へ送信することを特徴とする請求項１ないし請求項１６のいずれか１項に記載の伝送システム。
【請求項１８】
前記表示画面は前記操作を受け付けた伝送端末に接続されたディスプレイに表示される画面であることを特徴とする請求項１ないし請求項１７のいずれか１項に記載の伝送システム。
【請求項１９】
伝送端末と管理装置を含む伝送システムにおいて実行される伝送方法において、
前記伝送端末が、会議に参加するための操作を受け付ける受付ステップと、
前記管理装置が、前記操作を受け付けた伝送端末と同じ前記会議に参加している他の伝送端末に関連付けられた名前情報を、前記操作を受け付けた伝送端末へ送信する送信ステップと、
前記操作を受け付けた伝送端末がさらに、
前記送信ステップによって送信された前記名前情報を受信する受信ステップと、
前記受信した名前情報を表示画面に一覧表示させる表示制御ステップと、を有し、
前記表示制御ステップは、前記一覧表示された名前情報の中から特定された名前情報に対応する画像データを表示画面に表示させることを特徴とする伝送方法。
【請求項２０】
少なくとも１以上のコンピュータとネットワークを介して接続する伝送端末において、
少なくとも１以上のコンピュータによって管理される会議に参加するための操作を受け付ける受付部と、
前記少なくとも１以上のコンピュータのいずれかによって送信された、前記伝送端末と同じ前記会議に参加している他の伝送端末に関連付けられた名前情報を受信する受信部と、
前記受信部において受信した名前情報を、前記伝送端末の表示画面に一覧表示させる表示制御部と、を備え、
前記表示制御部は、前記一覧表示された名前情報の中から特定された名前情報に対応する画像データを表示画面に表示させることを特徴とする伝送端末。
【請求項２１】
前記他の伝送端末に関連付けられた名前情報は、前記他の伝送端末からの要求に応じて登録又は変更される情報であることを特徴とする請求項２０に記載の伝送端末。
【請求項２２】
前記表示制御部は、前記表示画面に一覧表示された名前情報のいずれかの選択を受け付けることによって特定された名前情報に対応する画像データを前記表示画面に表示させることを特徴とする請求項２０または請求項２１に記載の伝送端末。
【請求項２３】
前記名前情報に対応する画像データは、前記名前情報に関連付けられた他の伝送端末から送信された画像データであることを特徴とする請求項２０ないし請求項２２のいずれか１項に記載の伝送端末。
【請求項２４】
前記表示制御部は、前記会議に参加している他の伝送端末から送信された画像データのうち、前記表示画面に一覧表示させた名前情報いずれかの選択を受け付けることによって特定された名前情報に関連付けられた他の伝送端末から送信された画像データのみを前記表示画面に表示させることを特徴とする請求項２３に記載の伝送端末。
【請求項２５】
前記表示制御部は、前記受信した名前情報の一覧が前記表示画面に表示されておらず、かつ、同じ前記会議に参加している他の伝送端末から送信された画像データが表示されているときに受け付けた操作入力に応じて、前記受信した名前情報を前記表示画面に一覧表示させることを特徴とする請求項２０ないし請求項２４のいずれか１項に記載の伝送端末。
【請求項２６】
前記受付部によって利用者からの前記操作入力を受け付け、
前記受付部が受け付けた操作入力に応じて、前記表示制御部は、前記受信した名前情報の一覧を前記表示画面に表示させず、かつ、前記受付部によって操作を受け付けた伝送端末と同じ前記会議に参加している他の伝送端末から送信された画像データを前記表示画面に表示させる第一のモードから、
前記受信した名前情報を前記表示画面に一覧表示させる第二のモードへ切り替えることを特徴とする請求項２５に記載の伝送端末。
【請求項２７】
前記他の伝送端末は撮影装置によって撮影された画像を表す画像データが入力される画像データ入力部を更に備え、
前記表示制御部は、前記受信した名前情報に加えて、前記受付部によって操作を受け付けた伝送端末と同じ前記会議に参加している他の伝送端末のなかで主要な伝送端末の画像データ入力部に入力されて送信された画像データが表す画像を前記表示画面に表示させることを特徴とする請求項２５または請求項２６に記載の伝送端末。
【請求項２８】
前記他の伝送端末は集音装置によって得られた音を表す音データが入力される音データ入力部を更に備え、
前記表示制御部は、前記受付部によって操作を受け付けた伝送端末と同じ前記会議に参加している他の伝送端末のなかで、音データ入力部に入力された音声を表す音データが送信された伝送端末を前記主要な伝送端末として特定することを特徴とする請求項２７に記載の伝送端末。
【請求項２９】
前記受付部によって操作を受け付けた伝送端末と同じ前記会議に参加している他の伝送端末の間でコンテンツデータを送信又は受信することを特徴とする請求項２０ないし請求項２８のいずれか１項に記載の伝送端末。
【請求項３０】
前記コンテンツデータは、画像データ及び音データを少なくとも含むことを特徴とする請求項２９に記載の伝送端末。
【請求項３１】
前記受付部によって操作を受け付けた伝送端末と同じ前記会議に参加している他の伝送端末は中継装置を介して前記コンテンツデータを送信又は受信することを特徴とする請求項２９または請求項３０に記載の伝送端末。
【請求項３２】
前記伝送端末は、ビデオ会議端末、カーナビゲーション装置又は携帯電話機のいずれかであることを特徴とする請求項２０ないし請求項３１のいずれか１項に記載の伝送端末。
【請求項３３】
前記名前情報は、前記他の伝送端末の識別名を示すことを特徴とする請求項２０ないし請求項３２のいずれか１項に記載の伝送端末。
【請求項３４】
前記表示画面は前記受付部によって操作を受け付けた伝送端末に接続されたディスプレイに表示される画面であることを特徴とする請求項２０ないし請求項３３のいずれか１項に記載の伝送端末。
【請求項３５】
伝送端末が実行する伝送端末制御方法において、
少なくとも１以上のコンピュータによって管理される会議に参加するための操作を受け付ける受付ステップと、
前記少なくとも１以上のコンピュータのいずれかによって送信された、前記伝送端末と同じ前記会議に参加している他の伝送端末に関連付けられた名前情報を受信する受信ステップと、
前記受信ステップにおいて受信した名前情報を、前記伝送端末の表示画面に一覧表示させる表示制御ステップと、を備え、
前記表示制御ステップは、前記一覧表示された名前情報の中から特定された名前情報に対応する画像データを表示画面に表示させることを特徴とする伝送端末制御方法。
【請求項３６】
少なくとも１以上のコンピュータとネットワークを介して接続する伝送端末に実行させる伝送端末制御プログラムにおいて、
前記少なくとも１以上のコンピュータが管理する会議に参加するための操作を受け付ける受付ステップと、
前記少なくとも１以上のコンピュータのいずれかによって送信された、前記伝送端末と同じ前記会議に参加している他の伝送端末に関連付けられた名前情報を受信する受信ステップと、
前記受信ステップにおいて受信した名前情報を、前記伝送端末の表示画面に一覧表示させる表示制御ステップと、を備え、
前記表示制御ステップは、前記一覧表示された名前情報の中から特定された名前情報に対応する画像データを表示画面に表示させることを特徴とする伝送端末制御プログラム。
【請求項３７】
前記他の伝送端末に関連付けられた名前情報は、前記他の伝送端末からの要求に応じて登録又は変更される情報であることを特徴とする請求項３６に記載の伝送端末制御プログラム。
【請求項３８】
前記表示制御ステップは、前記表示画面に一覧表示された名前情報のいずれかの選択を受け付けることによって特定された名前情報に対応する画像データを前記表示画面に表示させることを特徴とする請求項３６または請求項３７のいずれか１項に記載の伝送端末制御プログラム。
【請求項３９】
前記名前情報に対応する画像データは、前記名前情報に関連付けられた他の伝送端末から送信された画像データであることを特徴とする請求項３６ないし請求項３８のいずれか１項に記載の伝送端末制御プログラム。
【請求項４０】
前記表示制御ステップは、前記会議に参加している他の伝送端末から送信された画像データのうち、前記表示画面に一覧表示させた名前情報いずれかの選択を受け付けることによって特定された名前情報に関連付けられた他の伝送端末から送信された画像データのみを前記表示画面に表示させることを特徴とする請求項３９に記載の伝送端末制御プログラム。
【請求項４１】
前記表示制御ステップは、前記受信した名前情報の一覧が前記表示画面に表示されておらず、かつ、同じ前記会議に参加している他の伝送端末から送信された画像データが表示されているときに受け付けた操作入力に応じて、前記受信した名前情報を前記表示画面に一覧表示させることを特徴とする請求項３６ないし請求項４０のいずれか１項に記載の伝送端末制御プログラム。
【請求項４２】
前記受付ステップによって利用者からの前記操作入力を受け付け、
前記受付ステップが受け付けた操作入力に応じて、前記表示制御ステップは、前記受信した名前情報の一覧を前記表示画面に表示させず、かつ、前記操作を受け付けた伝送端末と同じ前記会議に参加している他の伝送端末から送信された画像を前記表示画面に表示させる第一のモードから、
前記受信した名前情報を前記表示画面に一覧表示させる第二のモードへ切り替えることを特徴とする請求項４１に記載の伝送端末制御プログラム。
【請求項４３】
前記他の伝送端末は撮影装置によって撮影された画像を表す画像データが入力される画像データ入力部を更に備え、
前記表示制御ステップは、前記受信した名前情報に加えて、前記受付ステップによって操作を受け付けた伝送端末と同じ前記会議に参加している他の伝送端末のなかで主要な伝送端末の画像データ入力部に入力されて送信された画像データが表す画像を前記表示画面に表示させることを特徴とする請求項４１または請求項４２に記載の伝送端末制御プログラム。
【請求項４４】
前記他の伝送端末は集音装置によって得られた音を表す音データが入力される音データ入力部を更に備え、
前記表示制御ステップは、前記受付ステップによって操作を受け付けた伝送端末と同じ前記会議に参加している他の伝送端末のなかで、音データ入力部に入力された音声を表す音データが送信された伝送端末を前記主要な伝送端末として特定することを特徴とする請求項４３に記載の伝送端末制御プログラム。
【請求項４５】
前記受付ステップによって操作を受け付けた伝送端末と同じ前記会議に参加している他の伝送端末の間でコンテンツデータを送信又は受信することを特徴とする請求項３６ないし請求項４４のいずれか１項に記載の伝送端末制御プログラム。
【請求項４６】
前記コンテンツデータは、画像データ及び音データを少なくとも含むことを特徴とする請求項４５に記載の伝送端末制御プログラム。
【請求項４７】
前記受付ステップによって操作を受け付けた伝送端末と同じ前記会議に参加している他の伝送端末は中継装置を介して前記コンテンツデータを送信又は受信することを特徴とする請求項４５または請求項４６に記載の伝送端末制御プログラム。
【請求項４８】
前記伝送端末は、ビデオ会議端末、カーナビゲーション装置又は携帯電話機のいずれかであることを特徴とする請求項３６ないし請求項４７のいずれか１項に記載の伝送端末制御プログラム。
【請求項４９】
前記名前情報は、前記他の伝送端末の識別名を示すことを特徴とする請求項３６ないし請求項４８のいずれか１項に記載の伝送端末制御プログラム。
【請求項５０】
前記表示画面は前記操作を受け付けた伝送端末に接続されたディスプレイに表示される画面であることを特徴とする請求項３６ないし請求項４９のいずれか１項に記載の伝送端末制御プログラム。
【手続補正２】
【補正対象書類名】明細書
【補正対象項目名】発明の名称
【補正方法】変更
【補正の内容】
【発明の名称】伝送システム、伝送方法、伝送端末、伝送端末制御方法及び伝送端末制御プログラム
【手続補正３】
【補正対象書類名】明細書
【補正対象項目名】０００７
【補正方法】変更
【補正の内容】
【０００７】
本発明の伝送システムは、伝送端末と管理装置を含む伝送システムにおいて、前記伝送端末は、会議に参加するための操作を受け付ける受付部を有し、前記管理装置は、前記操作を受け付けた伝送端末と同じ前記会議に参加している他の伝送端末に関連付けられた名前情報を、前記操作を受け付けた伝送端末へ送信する送信部を有し、前記操作を受け付けた伝送端末はさらに、前記送信部によって送信された前記名前情報を受信する受信部と、前記受信した名前情報を表示画面に一覧表示させる表示制御部を有し、前記表示制御部は、前記一覧表示された名前情報の中から特定された名前情報に対応する画像データを表示画面に表示させる構成を有している。